(57)【要約】【課題】医用画像を見やすく表示させるとともに、各種機能の指示入力のための操作性を向上させる。【解決手段】医用画像表示装置４０は、医用画像と当該医用画像に対応する付帯情報とをＰＡＣＳ３０から受信し、ビューア画面４４１に表示する。マウス４３ａによって医用画像が選択されると、この医用画像の付帯情報に基づいて表示すべきメニューボックスを判断して表示する。マウス４３ａによって表示切替が指示されると、メニューボックスの表示形態を変更させる。【選択図】図７
2010187758.tif 000002
【特許請求の範囲】
【請求項１】
医用画像と当該医用画像に対応する付帯情報とを受信する医用画像表示装置であって、
前記医用画像を表示する表示手段と、
前記表示手段に表示された医用画像を選択するための操作手段と、
前記操作手段によって選択された医用画像に対応する付帯情報に基づいて表示すべきメニューボックスを決定し、当該決定されたメニューボックスを前記表示手段に表示させる制御手段と、
を備えることを特徴とする医用画像表示装置。
【請求項２】
前記操作手段は、前記表示手段に表示されたメニューボックスの表示切替を指示するためのものであって、
前記制御手段は、前記操作手段によって表示切替が指示されると、前記表示手段に表示されたメニューボックスの表示形態を変更させることを特徴とする請求項１に記載の医用画像表示装置。
【請求項３】
前記表示手段に表示されたメニューボックスを記憶する記憶手段を更に備え、
前記制御手段は、前記選択手段によって選択された医用画像に対応する付帯情報と前記記憶手段に記憶されたメニューボックスとに基づいて表示すべきメニューボックスを決定し、当該決定されたメニューボックスを前記表示手段に表示させることを特徴とする請求項１又は２に記載の医用画像表示装置。
【請求項４】
前記付帯情報は、医用画像が撮影されたモダリティを識別するための情報であることを特徴とする請求項１〜３のいずれか一項に記載の医用画像表示装置。
【請求項５】
前記操作手段は、ポインティングデバイスであって、
前記制御手段は、前記表示手段に表示されたカーソルに対応する位置に前記メニューボックスを表示させることを特徴とする請求項１〜４のいずれか一項に記載の医用画像表示装置。
【請求項６】
医用画像と当該医用画像に対応する付帯情報とを受信する医用画像表示装置の医用画像を表示する方法であって、
前記医用画像表示装置によって、操作手段によって選択された医用画像に対応する付帯情報に基づいて表示すべきメニューボックスを決定し、当該決定されたメニューボックスを表示手段に表示させる制御工程を有することを特徴とする医用画像表示方法。
【請求項７】
医用画像と当該医用画像に対応する付帯情報とを受信するコンピュータを、
前記医用画像を表示する表示手段、
前記表示手段に表示された医用画像を選択するための操作手段、
前記操作手段によって選択された医用画像に対応する付帯情報に基づいて表示すべきメニューボックスを決定し、当該決定されたメニューボックスを前記表示手段に表示させる制御手段、
として機能させるためのプログラム。
【発明の詳細な説明】
【技術分野】
【０００１】
本発明は、医用画像表示装置、医用画像表示方法、及びプログラムに関するものである。
【背景技術】
【０００２】
従来、医療の分野においては、患者を撮影することにより得られた医用画像のデジタル化が実現されている。医用画像は、ＣＲ（Computed Radiography）装置、ＣＴ（Computed Tomography）装置、ＭＲＩ（Magnetic Resonance Imaging）装置等の各種モダリティによってデジタル化される。
【０００３】
デジタル化された医用画像とともに、ＤＩＣＯＭ（Digital Imaging and COmmunication In Medicine）規格に適合するＤＩＣＯＭ基本情報が管理サーバに記憶され、医用画像は、医用画像管理システム（以下、ＰＡＣＳ：Picture Archiving and Communication System for medical application）の管理下におかれる。
【０００４】
読影すべき医用画像の多様化に伴い、読影医は、高精細のモニタに表示された医用画像に対して各種画像処理を行って読影を行う。画像処理のための指示入力は、医用画像に重畳して表示されたメニューボックスに対して行われたり、画面上部に表示されたメニューバーに対する指示入力によって行われることが多い。
【０００５】
一般的な画像処理のソフトウェアにおいては、画像処理や表示に関する各機能毎に分類されたメニューが表示される。テキストで表示される階層メニューでは、文字数の制限や階層の複雑化のためにメニューが見づらくなったり、目的とするメニューを探しづらくなる。非特許文献１の技術では、機能に対応する各種アイコンを含むメニューボックスを画像に重畳させて表示させる。一つのメニューボックスのタブを切り替えることによって複数のメニューボックスを表示させることができ、表示スペースを少なくすることができる。
【０００６】
読影の際には複数の医用画像を同時にモニタに表示させることが多く、メニューボックスの表示位置によっては医用画像が見えづらくなってしまう。
例えば、医用画像に重畳して各種機能に対応するメニューボックスが常時表示されているために医用画像が見えづらくなってしまう。メニューボックスの表示位置は予め定められているので、各種操作を行うためには、いちいちマウス操作をしてメニューボックスにマウスポインタを合わせなければならない。また、メニューボックスの移動や表示切替等を実行するには、その都度メニューボックス上部のタブを選択する必要がある。
【０００７】
特許文献１には、断層画像に含まれる複数の臓器領域を抽出し、最大画素値投射画像又は最小画素値投射画像を重ね合わせた重畳画像を作成してモニタに表示し、医用画像に並列するように表示されたメニューに対して入力操作を行い画像処理を実行する技術が開示されている。
【先行技術文献】
【特許文献】
【０００８】
【特許文献１】特開２００５−２６１５３１号公報
【非特許文献】
【０００９】
【非特許文献１】”Ａｄｏｂｅ  Ｐｈｏｔｏｓｈｏｐ  ＣＳ４−新機能紹介”、［ｏｎｌｉｎｅ］、アドビシステムズ株式会社、［２００９年１月２３日検索］、インターネット、（ＵＲＬ：http://www.adobe.com/jp/joc/pscs4/whatsnew/whatsnew_07.html）
【発明の概要】
【発明が解決しようとする課題】
【００１０】
しかしながら、特許文献１の技術では、医用画像に並列して各種操作を行うメニューを表示させているため、医用画像の表示領域が狭くなってしまう。非特許文献１の技術では、多機能に対応するボタンを含むメニューボックスを表示させることはできるが、メニューボックスは常に画像に重畳して表示されるため、画像が見えづらくなってしまう。
【００１１】
本発明は上記課題に鑑みてされたものであり、その目的とするところは、医用画像を見やすく表示させるとともに、各種機能の指示入力のための操作性を向上させることである。
【課題を解決するための手段】
【００１２】
上記課題を解決するために、請求項１に記載の発明は、
医用画像と当該医用画像に対応する付帯情報とを受信する医用画像表示装置であって、
前記医用画像を表示する表示手段と、
前記表示手段に表示された医用画像を選択するための操作手段と、
前記操作手段によって選択された医用画像に対応する付帯情報に基づいて表示すべきメニューボックスを決定し、当該決定されたメニューボックスを前記表示手段に表示させる制御手段と、
を備えることを特徴とする。
【００１３】
請求項２に記載の発明は、請求項１に記載の発明において、
前記操作手段は、前記表示手段に表示されたメニューボックスの表示切替を指示するためのものであって、
前記制御手段は、前記操作手段によって表示切替が指示されると、前記表示手段に表示されたメニューボックスの表示形態を変更させることを特徴とする。
【００１４】
請求項３に記載の発明は、請求項１又は２に記載の発明において、
前記表示手段に表示されたメニューボックスを記憶する記憶手段を更に備え、
前記制御手段は、前記選択手段によって選択された医用画像に対応する付帯情報と前記記憶手段に記憶されたメニューボックスとに基づいて表示すべきメニューボックスを決定し、当該決定されたメニューボックスを前記表示手段に表示させることを特徴とする。
【００１５】
請求項４に記載の発明は、請求項１〜３のいずれか一項に記載の発明において、
前記付帯情報は、医用画像が撮影されたモダリティを識別するための情報であることを特徴とする。
【００１６】
請求項５に記載の発明は、請求項１〜４のいずれか一項に記載の発明において、
前記操作手段は、ポインティングデバイスであって、
前記制御手段は、前記表示手段に表示されたカーソルに対応する位置に前記メニューボックスを表示させることを特徴とする。
【００１７】
請求項６に記載の発明は、
医用画像と当該医用画像に対応する付帯情報とを受信する医用画像表示装置の医用画像を表示する方法であって、
前記医用画像表示装置によって、操作手段によって選択された医用画像に対応する付帯情報に基づいて表示すべきメニューボックスを決定し、当該決定されたメニューボックスを表示手段に表示させる制御工程を有することを特徴とする。
【００１８】
請求項７に記載の発明は、
医用画像と当該医用画像に対応する付帯情報とを受信するコンピュータを、
前記医用画像を表示する表示手段、
前記表示手段に表示された医用画像を選択するための操作手段、
前記操作手段によって選択された医用画像に対応する付帯情報に基づいて表示すべきメニューボックスを決定し、当該決定されたメニューボックスを前記表示手段に表示させる制御手段、
として機能させる。
【発明の効果】
【００１９】
本発明によれば、医用画像を見やすく表示するとともに、各種機能の指示入力のための操作性を向上することができる。
【図面の簡単な説明】
【００２０】
【図１】本実施の形態における画像表示システムの全体構成例を示す図である。
【図２】図１の医用画像表示装置の機能的構成を示す要部ブロック図である。
【図３】図２の表示部に表示されるビューア画面の一例を示す図である。
【図４】メニューボックスの一例を示し、（ａ）は図２の記憶部に記憶されるメニューテーブルの一例であり、（ｂ）は使用メニュー群Ａに含まれるメニューボックスの一例であり、（ｃ）は使用メニュー群Ｂに含まれるメニューボックスの一例である。
【図５】図２の制御部によって実行されるメニュー表示処理のフローチャートである。
【図６】図２の制御部によって実行されるメニュー表示処理のフローチャートである。
【図７】図２の表示部に表示されるビューア画面にメニューボックスが重畳して表示された場合の一例を示す図である。
【図８】図２の表示部に表示されるビューア画面のメニューボックスが切り替えられて表示された場合の一例を示す図である。
【図９】図２の表示部に表示されるビューア画面のアクティブな医用画像が切り替えられた場合の一例を示す図である。
【図１０】図２の表示部に表示されるビューア画面にメニューボックスが重畳して表示された場合の一例を示す図である。
【図１１】図２の表示部に表示されるビューア画面のメニューボックスが切り替えられて表示された場合の一例を示す図である。
【発明を実施するための形態】
【００２１】
図１に、本実施形態における画像表示システム１００を示す。
画像表示システム１００は、ＲＩＳ（Radiology Information System）１０、モダリティ２０、ＰＡＣＳ３０、一又は複数の医用画像表示装置４０等を備えて構成される。各装置はネットワークケーブル５０で接続されており、ＤＩＣＯＭ（Digital Imaging and COmmunication in Medicine）により医用画像等のデータの送受信を行う。
【００２２】
ＲＩＳ１０は、放射線科内の情報を管理する放射線科情報システムである。ＲＩＳ１０は、オペレータによるオーダ情報の入力を受け付けてオーダ情報を登録して、モダリティ２０に対して送信する。オーダ情報には、患者情報、検査情報及び画像情報等が含まれる。
【００２３】
モダリティ２０は、患者を撮影して医用画像に関するデータを生成する撮影装置であり、具体的にはＣＴ（Computed Tomography）装置、ＭＲＩ（Magnetic Resonance Imaging）装置、ＣＲ（Computed Radiography）装置等である。
【００２４】
モダリティ２０は、生成した医用画像にオーダ情報の一部（以下、付帯情報という。）を付帯させて、医用画像と付帯情報をＰＡＣＳ３０に対して送信する。付帯情報には、例えば、撮影モダリティ名、患者名、検査日、画像番号が含まれ、タグ情報によって具体的な内容が特定される。例えば、付帯情報に含まれるタグ情報が「＜０００８、００６０＞＝ＣＲ」であれば、ＣＲ装置によって撮影された医用画像であることを示し、「＜００１８、００１５＞＝ＣＨＥＳＴ」であれば検査部位が胸部であることを示す等である。
【００２５】
ＰＡＣＳ（Picture Archiving and Communication System for medical application）３０は、医用画像と付帯情報を記憶し、医用画像表示装置４０からの要求に従って医用画像と付帯情報を送信する。また、モダリティ２０から医用画像を受信した際には、この医用画像に対応するサムネイル画像を作成して記憶する。
【００２６】
医用画像表示装置４０は、ＰＡＣＳ３０から受信した医用画像とサムネイル画像を表示するためのものである。
図２に、医用画像表示装置４０の内部構成を示す。
医用画像表示装置４０は、制御部４１、ＲＡＭ４２、操作部４３、表示部４４、通信部４５、記憶部４６等を備えて構成されており、各部はバス４７により接続されている。
【００２７】
制御部４１は、ＣＰＵ（Central Processing Unit）等を備えて構成される。制御部４１は、記憶部４６に記憶されている各種プログラムとの協働により、後述するメニュー表示処理を実行する。
【００２８】
ＲＡＭ（Random Access Memory）４２は、制御部４１により実行制御される各種処理において、記憶部４６から読み出された各種プログラム、入力若しくは出力データ、及びパラメータ等を一時的に記憶するワークエリアとして機能する。
【００２９】
操作部４３は、マウス４３ａと、カーソルキー、数字入力キー、及び各種機能キー等を備えたキーボード等を備えて構成される。操作部４３は、キーボードで押下操作されたキーの押下信号や、マウス４３ａによる操作信号とを入力信号として制御部４１に対して出力する。
【００３０】
表示部４４は、例えば、ＣＲＴ（Cathode Ray Tube）やＬＣＤ（Liquid Crystal Display）等のモニタを備えて構成され、制御部４１から入力される表示信号の指示に従って、ビューア画面４４１等を表示する。
【００３１】
図３に、表示部４４に表示されるビューア画面４４１の一例を示す。図３に示すように、ビューア画面４４１ａは、階調処理等の医用画像に関する各種機能指示を行うためのメニュー領域４４２、医用画像を表示させるための画像表示欄４４３ａと４４３ｂ（以降、この２つをまとめて単に画像表示欄という。）、画像表示欄に表示すべき医用画像を指定するためのサムネイル画像表示欄４４４等から構成される。
【００３２】
ビューア画面４４１は、患者毎に医用画像が表示される。表示部４４に表示された患者一覧画面（図示せず）から患者が指定されると、この患者の患者ＩＤがＰＡＣＳ３０に対して送信される。ＰＡＣＳ３０においては、受信した患者ＩＤと付帯情報に含まれる患者ＩＤとが一致する医用画像が検索され、付帯情報、医用画像、及びサムネイル画像が医用画像表示装置４０に対して送信される。医用画像表示装置４０においては、ビューア画面４４１が表示され、サムネイル画像表示欄４４４にサムネイル画像が表示される。
【００３３】
サムネイル画像表示欄４４４に表示されたサムネイル画像が操作部４３によって選択されると、このサムネイル画像に対応する医用画像が画像表示欄に表示される。例えば、サムネイル画像表示欄４４４に表示されたサムネイル画像をマウス４３ａでダブルクリックすると、このサムネイル画像に対応する医用画像が画像表示欄に表示される。
【００３４】
画像表示欄に表示された医用画像を、操作部４３からの入力によりアクティブにし、メニュー領域４４２の各ボタンを選択すると、アクティブにした医用画像に対して画像処理等を行うことができる。例えば、画像表示欄４４３ａにマウスポインタ（カーソル）を合わせて、マウス４３ａをクリックすると、画像表示欄４４３ａに表示された医用画像がアクティブになる。メニュー領域４４２の「階調処理」のボタンが選択された状態でマウス操作を行うと、画像表示欄４４３ａに表示された医用画像に対して階調処理を実行することができる。メニュー領域４４２に表示された他のボタンにおける操作も同様である。以降、メニュー領域４４２に表示されたボタンに対応する、医用画像への操作指示のことを単に機能という。なお、図４４１に示す枠Ｄは、医用画像がアクティブにされている旨を示すためのものである。
【００３５】
通信部４５は、ネットワークインターフェース等により構成され、ネットワークケーブル５０に接続された各装置との間でデータの送受信を行う。
【００３６】
記憶部４６は、ＨＤＤ（Hard Disc Drive）や半導体の不揮発性メモリ等により構成される。記憶部４６は、制御部４１により実行されるシステムプログラムを始めとする各種プログラムを記憶し、各種プログラムにより処理されたデータ等を記憶する。また、記憶部４６は、後述するメニュー表示処理によって表示すべきメニューボックスを識別するためのメニューテーブルＴ１を記憶する。
【００３７】
図４（ａ）に、記憶部４６に記憶されるメニューテーブルＴ１の一例を示す。図４（ａ）に示すように、メニューテーブルＴ１は、医用画像に対して行う機能の目的、医用画像に付帯する付帯情報、ビューア画面４４１に表示すべきメニューボックスの集まりを示す使用メニュー群、リセットの有無（詳細後述）、及び前回ビューア画面４４１に表示されたメニューボックスを識別するための識別情報が対応付けられて格納される。
なお、図４（ａ）に示す例では、目的とモダリティの種類とを対応付けて記載しているが、付帯情報に基づいて目的毎に使用メニュー群が特定できるようにすればよく、これに限られない。例えば、撮影部位と目的とが対応付けられるようにしてもよい。
【００３８】
図４（ｂ）に、使用メニュー群Ａの一例を示す。図４（ｂ）に示すように、使用メニュー群Ａは、メニューボックスＡ１とメニューボックスＡ２から構成される。
図４（ｃ）に、使用メニュー群Ｂの一例を示す。図４（ｃ）に示すように、使用メニュー群Ｂは、メニューボックスＢ１とメニューボックスＢ２から構成される。
図４（ｂ）に示すメニューボックスＡ１とＡ２、図４（ｃ）に示すメニューボックスＢ１とＢ２は、後述するメニュー表示処理によって表示が切り替えられる。
【００３９】
次に動作について説明する。
図５に、ビューア画面４４１の表示指示が操作部４３から制御部４１に対して入力された際に、制御部４１によって実行されるメニュー表示処理のフローチャートを示す。メニュー表示処理は、制御部４１と記憶部４６に記憶されたプログラムとの協働により実行される。
【００４０】
図５に示すように、まず、表示部４４にビューア画面４４１が表示される（ステップＳ１）。画像表示欄に表示された医用画像のうち、アクティブにされている医用画像に対応する付帯情報が取得される（ステップＳ２）。この付帯情報に基づいて、使用メニュー群が決定される（ステップＳ３）。具体的には、記憶部４６に記憶されたメニューテーブルＴ１が参照され、ステップＳ２において取得された付帯情報が一致するレコードの使用メニュー群が参照されることにより決定される。
【００４１】
次いで、操作部４３からメニュー表示要求が入力されたか否かが判断される（ステップＳ４）。メニュー表示要求とは、アクティブにされている医用画像に対応するメニューボックスを表示させるための予め定められた指示をいい、例えば、アクティブにされている医用画像にマウスポインタを合わせてマウス４３ａをクリックする等である。
【００４２】
メニュー表示要求が入力されたと判断された場合（ステップＳ４；ＹＥＳ）、アクティブにされている医用画像の付帯情報に対応するメニューテーブルＴ１のリセット有無がリセットを示しているか否かが判断される（ステップＳ５）。
【００４３】
リセットを示していると判断された場合（ステップＳ５；ＹＥＳ）、表示部４４においてマウスポインタが示す位置に初期メニューが表示される（ステップＳ６）。初期メニューとは、使用メニュー群に対応するメニューボックスのうち、予め定められた一つのメニューボックスである。使用メニュー群Ａの初期メニューは、図４（ｂ）の例ではメニューボックスＡ１、使用メニュー群Ｂの図４（ｃ）の例ではメニューボックスＢ１とする。
【００４４】
図７に、ステップＳ６において表示部に表示されるビューア画面４４１の一例を示す。図７に示すように、マウスポインタが示す位置にメニューボックス４４５が表示される。アクティブになっている医用画像（図７の例では、画像表示欄４４３ａに表示されている医用画像）がＣＲで撮影されている場合、ステップＳ３において、図４（ａ）に示すメニューテーブルＴ１が参照されて使用メニュー群が「Ａ」であると判断され、この使用メニュー群に対応するメニューボックス（図４（ｂ）に示すメニューボックスＡ１）が、メニューボックス４４５として表示される。
【００４５】
リセットを示していると判断された場合（ステップＳ５；ＮＯ）、前回閉じられた（表示部４４から消去された）メニューボックスが表示される（ステップＳ７）。具体的には、記憶部４５に記憶されたメニューテーブルＴ１の前回表示に対応するメニューボックスが表示される。
【００４６】
次いで、操作部４３からメニュー切替の要求が入力されたか否かが判断される（ステップＳ８）。メニュー切替の要求とは、ビューア画面４４１に表示されたメニューボックスの表示形態を切り替えるための予め定められた指示であり、例えば、メニューボックスにマウスポインタを合わせて右クリックする等である。
メニュー切替の要求が入力されたと判断された場合（ステップＳ８；ＹＥＳ）、メニューボックスの表示形態が切り替えられる（ステップＳ９）。具体的には、表示部４４に表示されたメニューボックスと使用メニュー群が同じである他のメニューボックスに表示が切り替えられる。
【００４７】
図８に、ステップＳ９において表示部に表示されるビューア画面４４１の一例を示す。図８に示すように、図７に示したメニューボックス４４５が切り替えられてメニューボックス４４６が表示される。図８の例では、メニューボックス４４６は図４（ｂ）のメニューボックスＡ２である。
【００４８】
メニュー切替の要求が入力されたと判断されない場合（ステップＳ８；ＮＯ）、メニューボックスに表示された機能の実行の要求が操作部４３から入力されたか否かが判断される（ステップＳ１０）。つまり、メニューボックスに表示された各ボタンに対応する機能が実行されたか否かが判断され、例えば、図８に示す例では、メニューボックス４４６のボタンから「拡大縮小」が選択され、画像表示欄４４３ａの医用画像の拡大表示処理が実行されたか否かが判断される等である。
【００４９】
機能の実行の要求が操作部４３から入力されたと判断されない場合（ステップＳ１０；ＮＯ）、メニューボックスを閉じる旨の指示が操作部４３から入力されたか否かが判断される（ステップＳ１１）。メニューボックスを閉じる旨の指示とは、予め定められた制御部４１に対する操作部４３からの指示であり、例えば、メニューボックス以外の領域がマウス４３ａによってクリックされる等である。
【００５０】
メニューボックスを閉じる旨の指示が操作部４３から入力されたと判断されない場合（ステップＳ１１；ＮＯ）、処理はステップＳ８に戻り、操作部４３からメニュー切替の要求が入力されたか否かが判断される。この状態で、ステップＳ８においてメニュー切替の要求が入力されたと判断された場合、ステップＳ９においてメニューボックスの表示形態がさらに切り替えられる。
【００５１】
機能の実行の要求が操作部４３から入力されたと判断された場合（ステップＳ１０；ＹＥＳ）、入力にしたがって機能が実行（つまり画像処理等が実行）される（ステップＳ１２）。
【００５２】
メニューボックスを閉じる旨の指示が操作部４３から入力されたと判断された場合（ステップＳ１１；ＹＥＳ）、図６に移行し、メニューボックスが閉じられる（ステップＳ１３）。この閉じられたメニューボックスに対応する識別情報を記憶部４５のメニューテーブルＴ１の前回表示として記憶させる（ステップＳ１４）。ステップＳ１４で記憶された切替状態に基づいて、ステップＳ７で表示すべきメニューが判断される。
【００５３】
メニュー表示要求が入力されたと判断されない場合（ステップＳ４；ＮＯ）、操作部４３からアクティブにすべき医用画像の変更指示が入力されたか否かが判断される（ステップＳ１５）。変更指示が入力されたと判断された場合（ステップＳ１５；ＹＥＳ）、処理はステップＳ２に戻り、この変更されたアクティブな医用画像に対応する付帯情報が取得される。
【００５４】
変更指示が入力されたと判断されない場合（ステップＳ１５；ＮＯ）、操作部４３からビューア画面４４１の終了要求が入力されたか否かが判断される（ステップＳ１６）。
終了要求が入力されたと判断されない場合（ステップＳ１６；ＮＯ）、処理はステップＳ４に戻り、操作部４３からメニュー表示要求が入力されたか否かが判断される。
終了要求が入力されたと判断された場合（ステップＳ１６；ＹＥＳ）、処理は終了する。
【００５５】
図９に、ステップＳ１５においてアクティブにすべき医用画像の変更指示がされたと判断された場合に表示されるビューア画面４４１の一例を示す。図９に示す例では、図７に示すビューア画面４４１の状態から画像表示欄４４３ｂに表示された医用画像をアクティブにするように指示がなされた場合である。図９に示すように、画像表示欄４４３ａに重畳して表示されていた枠Ｄが消去され、枠Ｄが画像表示欄４４３ｂに重畳して表示される。
【００５６】
図１０に、ステップＳ６において表示部４４に表示されるビューア画面４４１の一例を示す。図１０に示す例では、アクティブにされた画像表示欄４４３ｂに表示された医用画像がＭＲＩ装置によって撮影された場合を示している。図７に示したメニューボックス４４５とは異なるメニューボックス４４７が画像表示欄４４３ｂに重畳して表示される。このメニューボックスは、図４（ｃ）に示すメニューボックスＢ１である。
【００５７】
図１１に、ステップＳ９において表示部４４に表示されるビューア画面４４１の一例を示す。図１１に示す例は、図１０に示すビューア画面４４１の状態から、メニュー切替の指示が入力された際に表示されるビューア画面４４１の例である。このメニューボックス４４８は図４（ｃ）のメニューボックスＢ２である。
【００５８】
以上のように、本実施の形態における医用画像表示装置４０によれば、メニュー表示処理によってビューア画面４４１に表示された医用画像の付帯情報に基づいて表示すべきメニューを決定して表示させることができ、用途及び状況に応じたメニューボックスを表示させることができ、操作負担を軽減できる。
【００５９】
また、リセットの有無の設定によって、最初に表示すべきメニューを決定することができるので、前回使用した（つまり閉じる直前の）メニューボックスを最初に表示することができる。例えば、図８のように表示させたメニューボックス４４６を閉じた後に、画像表示欄４４３ａに表示された医用画像に対してメニュー表示指示が入力された場合、リセットの設定が「有」であれば、図７に示すメニューボックス４４５が表示され、リセットの設定が「無」であれば、図８に示すメニューボックス４４６が表示される。例えば、メニューボックス４４６よりメニューボックス４４５の方が使用頻度が圧倒的に高い場合、リセット「有」に設定しておくことにより、メニューボックス４４６は必要な場合のみに表示させることができる。
【００６０】
同様に、図１１のように表示させたメニューボックス４４８を閉じた後に、画像表示欄４４３ｂに表示された医用画像に対してメニュー表示指示が入力された場合、リセットの設定が「有」であれば、図１０に示すメニューボックス４４７が表示され、リセットの設定が「無」であれば、図１１に示すメニューボックス４４８が表示される。例えば、メニューボックス４４８よりメニューボックス４４７の方が使用頻度が高いが、メニューボックス４４８に切り替わった後はビューア画面４４１の終了まで継続して同じ画像処理を行う場合等はリセット「無」にすると効率的な読影を行うことができる。
【００６１】
また、メニューボックスの表示形態を切り替えることによって、詳細なメニューボックスと簡易なメニューボックスとの表示切替を容易に行うことができる。更に、目的に応じて、例えば、画像処理系のメニューボックスとアノテーション描画系のメニューボックスを切り替えたり、検診系と精査系のメニューボックスを切り替えたりすることもできる。マウスを使用することによって、簡易な操作でメニューボックスの表示切り替えを行うことができる。
【００６２】
また、医用画像が撮影されたモダリティに応じたメニューを表示させることにより、より読影医の目的にあったメニューを表示させることができる。
【００６３】
なお、上述した本実施の形態における記述は、本発明に係る好適な医用画像表示装置の一例であり、これに限定されるものではない。
例えば、本実施の形態においては、ビューア画面４４１に表示すべきメニューボックスをメニューテーブルＴ１に格納するようにしたが、医用画像の付帯情報と表示すべきメニューボックスを対応付けて記憶していればよく、これに限られない。例えば、他の構成のテーブルに格納されていてもよい。
【００６４】
また、本実施の形態において、使用メニュー群ＡにはメニューボックスＡ１とＡ２が含まれ、使用メニュー群ＢにはメニューボックスＢ１とＢ２が含まれるようにしたが、使用メニュー群に含まれるメニューボックスの数は２つに限られず、３つ以上であってもよい。この場合、ステップＳ１１において、メニューを閉じる要求が入力されたと判断されなければ、メニューボックス上でメニュ切り替えの指示を入力するたびに、メニューボックスの表示が切り替わる。つまり、ステップＳ１０において機能実行の要求があると判断される、又はステップＳ１１においてメニューを閉じる要求が入力されたと判断されるまで、常にメニューボックスの切替要求が待ち受けられる。
【００６５】
また、ポインティングデバイスとしてマウス４３ａを適用した例を説明したが、医用画像表示装置４０に接続されたポインティングデバイスに対応するカーソルの位置にメニューボックスが表示されればよい。ここでいうポインティングデバイスとは、画面上での入力位置や座標を指定する入力機器全般を指し、例えば、マウス以外には、トラックボール、タッチパッド、ペンタブレットなどが挙げられる。
【００６６】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００６７】
その他、医用画像表示装置を構成する各装置の細部構成及び細部動作に関しても、本発明の趣旨を逸脱することのない範囲で適宜変更可能である。
【符号の説明】
【００６８】
１００  画像表示システム
１０  ＲＩＳ
２０  モダリティ
３０  ＰＡＣＳ
４０  医用画像表示装置
４１  制御部
４２  ＲＡＭ
４３  操作部
４４  表示部
４４１  ビューア画面
４５  通信部
４６  記憶部
【図１】
2010187758.tif 000003
【図２】
2010187758.tif 000004
【図４】
2010187758.tif 000005
【図５】
2010187758.tif 000006
【図６】
2010187758.tif 000007
【図３】
2010187758.tif 000008
【図７】
2010187758.tif 000009
【図８】
2010187758.tif 000010
【図９】
2010187758.tif 000011
【図１０】
2010187758.tif 000012
【図１１】
2010187758.tif 000013